(57)【要約】【課題】作業が容易で品質を安定させることができ、使用時の振動によっても素子やリード線、素線、結線部分の破損、断線等を防止できる耐震性・耐久性に優れたシース型測温抵抗体を提供せんとする。【解決手段】測温抵抗素子２を収納するとともにリード線２１、２２を先端側に突出させ、さらに基端側から先端側に向けて軸方向に素線１１〜１４も貫通させ、これにより先端側の面上でリード線と素線を結線できるように構成した絶縁材よりなるホルダーブロック３を設けた。【選択図】図１
2015155829.tif 000002
【特許請求の範囲】
【請求項１】
シースケーブルの端部に測温抵抗素子を収納し、該測温抵抗素子のリード線とシースケーブルの素線とを結線してなるシース型測温抵抗体において、
前記測温抵抗体素子を収納し、該素子から延びるリード線を先端側に突出させた絶縁材よりなるホルダーブロックを設け、
該ホルダーブロックに、基端側から先端側に向けて軸方向にシースケーブル素線を貫通させるための貫通孔を設け、
前記シースケーブル素線を前記貫通孔に挿入しながらシースケーブル端部に挿着された前記ホルダーブロックの先端側にて、前記突出した素子のリード線と前記貫通孔を貫通して先端側に突出した前記シースケーブル素線とを結線してなることを特徴とするシース型測温抵抗体。
【請求項２】
前記突出した素子のリード線と前記貫通孔を貫通して先端側に突出した前記シースケーブル素線とを、ブロック先端面に沿うように該先端面に突出した根元位置で屈曲させた状態で互いに結線してなる請求項１記載のシース型測温抵抗体。
【請求項３】
前記ホルダーブロックに、前記測温抵抗素子の本体を収納する収納部と、基端側が該収納部の空間に連通し且つ先端側がブロック先端面に開口する軸方向に延びるリード線挿通孔とを設け、前記リード線挿通孔に前記リード線を挿通しながら前記収納部に測温抵抗体素子の本体が収納された状態で、前記リード線挿通孔の前記開口より先端側に前記リード線が突出してなる請求項１又は２記載のシース型測温抵抗体。
【請求項４】
前記収納部を、ブロック左右側方に貫通してブロック基端側が開放された凹条溝より構成してなる請求項３記載のシース型測温抵抗体。
【請求項５】
前記ホルダーブロックの少なくとも前記凹条溝がある基端側の外周面を、前記シースケーブルの金属管内径より所定寸法だけ大きな外径を有する面とし、当該シースケーブルに圧入することで前記凹条溝の前後一対の内壁が内側に変形して測温抵抗素子を挟持する請求項４記載のシース型測温抵抗体。
【請求項６】
前記シースケーブル素線を貫通させる貫通孔のうち、前記測温抵抗素子の二本のリード線の一方に結線する単又は複数の素線用の貫通孔を、前記凹条溝の開口を挟んだ前後一対のブロック基端面のうち一方の基端面に開口する位置に設け、前記リード線の他方に結線する単又は複数の素線用の貫通孔を、他方の基端面に開口する位置に設けてなる請求項４記載のシース型測温抵抗体。
【請求項７】
請求項１〜６の何れか１項に記載のシース型測温抵抗体に用いるホルダーブロックであって、
前記測温抵抗素子の本体を収納する収納部と、
基端側が該収納部の空間に連通し且つ先端側がブロック先端面に開口する軸方向に延びるリード線挿通孔と、
基端側から先端側に向けて軸方向にシースケーブル素線を貫通させるための貫通孔と、
を備え、
絶縁材よりなるホルダーブロック。
【請求項８】
前記収納部を、ブロック左右側方に貫通してブロック基端側が開放された凹条溝より構成してなる請求項７記載のホルダーブロック。
【請求項９】
前記ホルダーブロックの少なくとも前記凹条溝がある基端側の外周面を、前記シースケーブルの金属管内径より所定寸法だけ大きな外径を有する面とし、
当該シースケーブルに圧入することで前記凹条溝の前後一対の内壁が内側に変形して測温抵抗素子を挟持する請求項８記載のホルダーブロック。
【請求項１０】
前記貫通孔のうち、前記測温抵抗素子の二本のリード線の一方に結線する単又は複数の素線用の貫通孔を、前記凹条溝の開口を挟んだ前後一対のブロック基端面のうち一方の基端面に開口する位置に設け、前記リード線の他方に結線する単又は複数の素線用の貫通孔を、他方の基端面に開口する位置に設けてなる請求項８記載のホルダーブロック。
【請求項１１】
前記絶縁材の粉末成形体である請求項７〜１０の何れか１項に記載のホルダーブロック。
【請求項１２】
前記絶縁材が、窒化ホウ素又は窒化ホウ素と絶縁性金属酸化物との混合物である請求項７〜１１の何れか１項に記載のホルダーブロック。
【請求項１３】
シースケーブルの端部に測温抵抗素子を収納し、該測温抵抗素子のリード線とシースケーブルの素線とを結線してなるシース型測温抵抗体の製造方法において、
前記測温抵抗素子を収納し、該素子から延びるリード線を先端側に突出させた絶縁材よりなるホルダーブロックを設け、
該ホルダーブロックには、基端側から先端側に向けて軸方向にシースケーブル素線を貫通させるための貫通孔が設けられており、
前記シースケーブルの端部から所定領域の絶縁材を取り除くことで該領域内にシースケーブル素線が突出したホルダーブロック収納部を形成し、
前記測温抵抗素子を収納した前記ホルダーブロックを、前記貫通孔に前記シースケーブル素線を挿入しながら前記ブロック収納部に挿着し、
前記ホルダーブロックの先端側にて、前記突出した素子のリード線と前記貫通孔を貫通して先端側に突出した前記シースケーブル素線とを結線し、
シースケーブル端部の残部空間に絶縁材を埋め戻し、
当該ケーブル端部の金属管端部を封止することを特徴とするシース型測温抵抗体の製造方法。
【請求項１４】
前記突出した素子のリード線と前記貫通孔を貫通して先端側に突出した前記シースケーブル素線とを、ブロック先端面に沿うように該先端面に突出した根元位置で屈曲させたうえで互いに結線してなる請求項１３記載のシース型測温抵抗体の製造方法。
【請求項１５】
前記ホルダーブロックに、前記測温抵抗素子の本体を収納する収納部と、基端側が該収納部の空間に連通し且つ先端側がブロック先端面に開口する軸方向に延びるリード線挿通孔とが設けられており、
前記リード線挿通孔に前記リード線を挿通しながら前記収納部に測温抵抗体素子の本体を収納し、これにより前記リード線挿通孔の前記開口より先端側に前記リード線を突出させた請求項１３又は１４記載のシース型測温抵抗体の製造方法。
【発明の詳細な説明】
【技術分野】
【０００１】
本発明は、シースケーブル端部に測温抵抗素子を収納し、素子リード線とケーブル素線とを結線して構成されるシース型測温抵抗体に係り、特に製造容易で品質も安定し、耐震・耐久性に優れたシース型測温抵抗体に関する。
【背景技術】
【０００２】
この種のシース型測温抵抗体の製造は、従来、特許文献１の第５図に示すように、シースケーブルの端部から絶縁材を取り出し、その跡に測温抵抗素子の大きさに合わせて更に穴を穿ち、測温抵抗素子を穴に収納してそのリード線を引き出し、これをシースケーブルの素線に溶接結線した後、絶縁材を埋め戻して先端部を封じることにより行われている。しかし、リード線と素線の結線の際、金属管内での作業であり且つ各線が動くので溶接作業は難しく、品質の安定に課題があった。また、結線後も絶縁材の埋戻しや使用時の振動で各線が動きやすく、短絡や断線といった信頼性の問題もあった。
【０００３】
これに対し、特許文献１では、素子収納穴の開口部を塞ぐ絶縁性のホルダーブロックを嵌め込み、同ブロックと絶縁材との間に素子のリード線を挟んで保持する構造が提案されている。このようなホルダーブロックによればリード線の動きが規制され、結線時の作業性が向上するとともに素子本体もホルダーブロックにより収納穴に抑え込まれ、使用時の耐震性・耐久性が向上する。しかし、このような構造によっても素子本体は絶縁材からなる穴の中に挿着されているため使用時の振動で動きやすく、素子本体の破損や動きが規制されているリード線との間でリード線の延出根元部にストレスが生じ、破損、断線する虞がある。
【０００４】
また、結線作業についても、リード線とケーブル素線とはいずれも脆い絶縁材から突出した状態で結線するため、狭い金属管内において絶縁材をできるだけ崩さないように互いの線を慎重に寄せた状態で溶接する必要があり、作業性向上や品質の安定化に限界がある。また、絶縁材に埋められているケーブル素線も振動により動きやすく、結線後に埋め戻す絶縁材も元の圧縮程度には至らず、したがって使用時の振動で結線部が動きやすく、該結線部と動きが規制されているリード線との間で、該リード線の結線部分に大きなストレスが生じやすく、破断、断線の虞がある。
【先行技術文献】
【特許文献】
【０００５】
【特許文献１】実公平１−４２０１９号公報
【発明の概要】
【発明が解決しようとする課題】
【０００６】
そこで、本発明が前述の状況に鑑み、解決しようとするところは、作業が容易で品質を安定させることができ、使用時の振動によっても素子やリード線、素線、結線部分の破損、断線等を防止できる耐震性・耐久性に優れたシース型測温抵抗体、これに用いるホルダーブロック、及びシース型測温抵抗体の製造方法を提供する点にある。
【課題を解決するための手段】
【０００７】
本発明は、前述の課題解決のために、シースケーブルの端部に測温抵抗素子を収納し、該測温抵抗素子のリード線とシースケーブルの素線とを結線してなるシース型測温抵抗体において、前記測温抵抗体素子を収納し、該素子から延びるリード線を先端側に突出させた絶縁材よりなるホルダーブロックを設け、該ホルダーブロックに、基端側から先端側に向けて軸方向にシースケーブル素線を貫通させるための貫通孔を設け、前記シースケーブル素線を前記貫通孔に挿入しながらシースケーブル端部に挿着された前記ホルダーブロックの先端側にて、前記突出した素子のリード線と前記貫通孔を貫通して先端側に突出した前記シースケーブル素線とを結線してなることを特徴とするシース型測温抵抗体を構成した。
【０００８】
ここで、前記突出した素子のリード線と前記貫通孔を貫通して先端側に突出した前記シースケーブル素線とを、ブロック先端面に沿うように該先端面に突出した根元位置で屈曲させた状態で互いに結線したものが好ましい。
【０００９】
また、前記ホルダーブロックに、前記測温抵抗素子の本体を収納する収納部と、基端側が該収納部の空間に連通し且つ先端側がブロック先端面に開口する軸方向に延びるリード線挿通孔とを設け、前記リード線挿通孔に前記リード線を挿通しながら前記収納部に測温抵抗体素子の本体が収納された状態で、前記リード線挿通孔の前記開口より先端側に前記リード線が突出したものが好ましい。
【００１０】
更に、前記収納部を、ブロック左右側方に貫通してブロック基端側が開放された凹条溝より構成したものが好ましい。
【００１１】
特に、前記ホルダーブロックの少なくとも前記凹条溝がある基端側の外周面を、前記シースケーブルの金属管内径より所定寸法だけ大きな外径を有する面とし、当該シースケーブルに圧入することで前記凹条溝の前後一対の内壁が内側に変形して測温抵抗素子を挟持するものが好ましい。
【００１２】
また、前記シースケーブル素線を貫通させる貫通孔のうち、前記測温抵抗素子の二本のリード線の一方に結線する単又は複数の素線用の貫通孔を、前記凹条溝の開口を挟んだ前後一対のブロック基端面のうち一方の基端面に開口する位置に設け、前記リード線の他方に結線する単又は複数の素線用の貫通孔を、他方の基端面に開口する位置に設けたものが好ましい。
【００１３】
また、本発明は、上記したシース型測温抵抗体に用いるホルダーブロックであって、前記測温抵抗素子の本体を収納する収納部と、基端側が該収納部の空間に連通し且つ先端側がブロック先端面に開口する軸方向に延びるリード線挿通孔と、基端側から先端側に向けて軸方向にシースケーブル素線を貫通させるための貫通孔とを備え、絶縁材よりなるホルダーブロックをも提供する。
【００１４】
ここで、前記収納部を、ブロック左右側方に貫通してブロック基端側が開放された凹条溝より構成したものが好ましい。
【００１５】
また、前記ホルダーブロックの少なくとも前記凹条溝がある基端側の外周面を、前記シースケーブルの金属管内径より所定寸法だけ大きな外径を有する面とし、当該シースケーブルに圧入することで前記凹条溝の前後一対の内壁が内側に変形して測温抵抗素子を挟持するものが好ましい。
【００１６】
また、前記貫通孔のうち、前記測温抵抗素子の二本のリード線の一方に結線する単又は複数の素線用の貫通孔を、前記凹条溝の開口を挟んだ前後一対のブロック基端面のうち一方の基端面に開口する位置に設け、前記リード線の他方に結線する単又は複数の素線用の貫通孔を、他方の基端面に開口する位置に設けたものが好ましい。
【００１７】
更に、前記絶縁材の粉末成形体であることが好ましい。
【００１８】
特に、前記絶縁材が、窒化ホウ素又は窒化ホウ素と絶縁性金属酸化物との混合物であることが好ましい。
【００１９】
また、本発明は、シースケーブルの端部に測温抵抗素子を収納し、該測温抵抗素子のリード線とシースケーブルの素線とを結線してなるシース型測温抵抗体の製造方法において、前記測温抵抗素子を収納し、該素子から延びるリード線を先端側に突出させた絶縁材よりなるホルダーブロックを設け、該ホルダーブロックには、基端側から先端側に向けて軸方向にシースケーブル素線を貫通させるための貫通孔が設けられており、前記シースケーブルの端部から所定領域の絶縁材を取り除くことで該領域内にシースケーブル素線が突出したホルダーブロック収納部を形成し、前記測温抵抗素子を収納した前記ホルダーブロックを、前記貫通孔に前記シースケーブル素線を挿入しながら前記ブロック収納部に挿着し、前記ホルダーブロックの先端側にて、前記突出した素子のリード線と前記貫通孔を貫通して先端側に突出した前記シースケーブル素線とを結線し、シースケーブル端部の残部空間に絶縁材を埋め戻し、当該ケーブル端部の金属管端部を封止することを特徴とするシース型測温抵抗体の製造方法をも提供する。
【００２０】
ここで、前記突出した素子のリード線と前記貫通孔を貫通して先端側に突出した前記シースケーブル素線とを、ブロック先端面に沿うように該先端面に突出した根元位置で屈曲させたうえで互いに結線することが好ましい。
【００２１】
前記ホルダーブロックに、前記測温抵抗素子の本体を収納する収納部と、基端側が該収納部の空間に連通し且つ先端側がブロック先端面に開口する軸方向に延びるリード線挿通孔とが設けられており、前記リード線挿通孔に前記リード線を挿通しながら前記収納部に測温抵抗体素子の本体を収納し、これにより前記リード線挿通孔の前記開口より先端側に前記リード線を突出させることが好ましい。
【発明の効果】
【００２２】
以上にしてなる本願発明によれば、測温抵抗体素子を収納し、該素子から延びるリード線を先端側に突出させた絶縁材よりなるホルダーブロックを設け、該ホルダーブロックに、基端側から先端側に向けて軸方向にケーブル素線を貫通させるための貫通孔を設け、ケーブル素線を貫通孔に挿入しながらケーブル端部に挿着されたホルダーブロックの先端側にて、突出した素子のリード線と貫通孔を貫通して先端側に突出したケーブル素線とを結線する構造であるので、ホルダーブロックによってリード線のみならず素子本体およびケーブル素線もすべて一体的に拘束され、使用時の振動によりホルダーブロックが振動してもこれら素子、リード線、ケーブル素線が互いに相対的に振動することはなく、各部へのストレスが生じることなく、したがって耐振性、耐久性が大幅に向上する。
【００２３】
また、リード線と素線との結線作業についても、本発明ではホルダーブロックの先端側に突出したリード線と素線とを結線することとなり、不安定な絶縁材から突出した線同士の結線に比べて結線作業が著しく容易になり、品質の安定化にも繋がり、自動化も可能となる。たとえば、このようなホルダーブロックから突出した線同士の結線の場合、各線を折り曲げてブロック面上の安定した姿勢で結線作業することも可能となるのである。
【００２４】
すなわち、突出した素子のリード線と貫通孔を貫通して先端側に突出したシースケーブル素線とを、ブロック先端面に沿うように該先端面に突出した根元位置で屈曲させた状態で互いに結線すれば、作業が著しく容易となり、自動化の可能性も高まる。
【００２５】
また、ホルダーブロックに、測温抵抗素子の本体を収納する収納部と、基端側が該収納部の空間に連通し且つ先端側がブロック先端面に開口する軸方向に延びるリード線挿通孔とを設け、リード線挿通孔にリード線を挿通しながら収納部に測温抵抗体素子の本体が収納された状態で、リード線挿通孔の開口より先端側にリード線が突出した状態になるように構成したので、ホルダーブロックへの測温抵抗素子の挿着が容易であり、品質の安定化に寄与する。
【００２６】
また、前記収納部を、ブロック左右側方に貫通してブロック基端側が開放された凹条溝より構成してなるので、測温抵抗素子の挿着がより容易となり、凹条溝を挟んだ前後の壁部で収納部に挿着した素子を安定保持することも可能となり、耐振性を向上させることが可能となる。
【００２７】
すなわち、ホルダーブロックの少なくとも凹条溝がある基端側の外周面を、前記シースケーブルの金属管内径より所定寸法だけ大きな外径を有する面とし、当該シースケーブルに圧入することで前記凹条溝の前後一対の内壁が内側に変形して測温抵抗素子を挟持するようにすれば、素子を安定保持して耐振性・耐久性を向上させることができる。
【００２８】
また、シースケーブル素線を貫通させる貫通孔のうち、前記測温抵抗素子の二本のリード線の一方に結線する単又は複数の素線用の貫通孔を、前記凹条溝の開口を挟んだ前後一対のブロック基端面のうち一方の基端面に開口する位置に設け、前記リード線の他方に結線する単又は複数の素線用の貫通孔を、他方の基端面に開口する位置に設けてなるので、リード線の孔（当然に凹溝内に開口）に対し、素線の孔を製造しやすい位置にあけることができ、絶縁距離も保つことができる。
【００２９】
また、ホルダーブロックが絶縁材の粉末成形体であるので、容易かつ低コストに製作でき、貫通孔など後加工でも可能であるが一体的に形成することもできる。
【００３０】
また、ホルダーブロックを構成する絶縁材が、窒化ホウ素又は窒化ホウ素と絶縁性金属酸化物との混合物であるので、窒化ホウ素は粒径２μｍ前後と非常に小さい上に丸みを帯びた形状であり、成形体の粉末間の空洞容積を顕著に少なくすることが可能で、絶縁破壊発生のリスクを低減させることができ、機械的強度も向上できる。
【図面の簡単な説明】
【００３１】
【図１】本発明の代表的実施形態に係るシース型測温抵抗体の要部を示す縦断面図。
【図２】（ａ）〜（ｃ）はホルダーブロックに測温抵抗素子を挿着する手順を示す説明図。
【図３】（ａ）〜（ｆ）は同じくシース型測温抵抗体の製造手順を示す説明図。
【図４】（ａ）、（ｂ）は測温抵抗素子を組み込んだホルダーブロックの変形例を示す説明図。
【発明を実施するための形態】
【００３２】
次に、本発明の実施形態を添付図面に基づき詳細に説明する。
【００３３】
本発明のシース型測温抵抗体１は、図１に示すように、シースケーブルの端部１０ａに測温抵抗素子２を収納し、該測温抵抗素子２のリード線２１、２２とシースケーブル素線１１〜１４とを結線したものであり、特に、測温抵抗素子２を収納するとともにリード線２１、２２を先端側に突出させ、さらに基端側から先端側に向けて軸方向に素線１１〜１４も貫通させ、これにより先端側の面上でリード線と素線を結線できるように構成した絶縁材よりなるホルダーブロック３を設けたことを特徴としている。
【００３４】
シースケーブル１０は、従来から公知のシース型測温抵抗体に用いられているシースケーブルを広く用いることができ、本例ではステンレスの金属管内部に素線１１〜１４を平行に収納し、隙間に酸化マグネシウム（ＭｇＯ）などの耐熱性粒子状絶縁物を充填したものが用いられている。また、測温抵抗素子２についても、同じく従来から公知の素子を広く用いることができ、本例では白金測温抵抗体の薄膜型の素子とした例であるが、ボビン型でもよいし、またサーミスタ測温体素子でもよい。
【００３５】
ホルダーブロック３は、図２にも示すように、測温抵抗素子２の素子本体２０を収納する収納部３０と、基端側が収納部３０の空間に連通し且つ先端側がブロック先端面３ａに開口する軸方向に延びるリード線挿通孔３５，３６と、基端側から先端側に向けて軸方向にシースケーブル素線１１〜１４を貫通させるための貫通孔３１〜３４とを備えている。
【００３６】
収納部３０は、図２に示すようにブロック左右側方に貫通し且つブロック基端側も開放された凹条溝４により構成されており、凹条溝４の前後幅は当該ブロックをシースケーブル１０に圧入した際に測温抵抗体素子本体２０を軽く動かないように挟持できるような寸法に設定される。凹条溝４がある基端側の外周面３７は、シースケーブル１０の金属管内径より所定寸法だけ大きな外径を有する面とし、当該シースケーブル１０に圧入することで凹条溝４の前後一対の内壁が内側に変形し、これにより上記のとおり測温抵抗素子２（素子本体２０）を挟持することになる。
【００３７】
尚、測温抵抗素子本体２０と収納部３０との関係は、上記のような挟持される関係以外に、耐熱性接着剤で隙間を塞ぐような構成も勿論可能である。本例では凹条溝４内で挟持されるが、凹条溝４内に装着する際にセラミック接着剤で固定される。そして、凹条溝４内における素子本体２０の左右にできる隙間には、当該ホルダーブロック３をシースケーブルに装着する前に予め絶縁材で埋められる。収納部３０は、本例のように左右側方及び基端側に開放された凹条溝４以外の形態でもよく、例えば左右側方には開放されずに、リード線挿通孔３５、３６を除いて基端側にのみ開口する装着孔としたり、基端側と左右一方の側にのみ開放された溝とすることも好ましい。
【００３８】
本発明によれば測温抵抗素子２（素子本体２０）、そのリード線２１、２２のみならず、これに結線されるケーブル素線１１〜１４もホルダーブロック３によりホールドされるため、ホルダーブロック３がシースケーブル内で相対的に振動したとしてもケーブル素線にストレスが生じるのみで、測温抵抗体素子本体２０や細いリード線２１、２２にストレスが生じることを防止することができる。したがって、ホルダーブロックの外周面とシースケーブル１０の金属管内面との間には寸法上隙間がある形状でよく、円柱状などには限定されない。ただし、このような隙間が生じる場合には該隙間に絶縁材を充填することが好ましい。
【００３９】
貫通孔３１〜３４のうち、測温抵抗素子２の二本のリード線２１、２２の一方のリード線２１に結線する素線１１、１２用の貫通孔３１、３２は、凹条溝４の開口を挟んだ前後一対のブロック基端面３ｂ、３ｃのうち一方の基端面３ｂに開口する位置に設けられ、他方のリード線２２に結線する素線１３、１４用の貫通孔３３、３４は、他方の基端面３ｃに開口する位置に設けられている。
【００４０】
素線用の貫通孔（３１〜３４）はシースケーブル１０内での各素線の配置（絶縁距離等）やホルダーブロック３の強度などを考慮して決定でき、本例以外の配置も勿論可能であるが、本例のように凹条溝４の開口を挟んだ各基端面３ｂ、３ｃに開口する位置に設けることで絶縁距離を維持しつつ孔あけ後のホルダーブロック３としての強度も維持でき、さらに孔あけも凹条溝４の境界位置などの場合は後加工が難しくなるが本例のように基端面３ｂ、３ｃに開口させるようにすれば後加工も容易となる。
【００４１】
本例では、二本のリード線の各々に素線二本ずつ結線する四導線式の例を示しているが、本発明はこれに何ら限定されず、三導線式等の他の方式も可能であり、その場合は素線用の貫通孔をそれに合わせて設ければよい。また、素子のリード線も二本以外にダブル素子式として四本のものでもよく、二つ以上の素子を重ねて装着することも可能である。これらの場合にも各場合に応じてリード線用挿通孔を設ければよい。図４は、三導線式のダブル素子（素子を二つ重ねた場合も同じ）とした例である。
【００４２】
ホルダーブロック３は、絶縁材である窒化ホウ素、又は窒化ホウ素と絶縁性金属酸化物（酸化マグネシウムなど）との混合物の粉末成形体である。窒化ホウ素は粒径２μｍ前後と非常に小さい上に丸みを帯びた形状をしているので、成形体の粉末間の空洞容積を顕著に少なくすることが可能であり、絶縁破壊発生のリスクを低減させることができ、強度的にも好ましい。
【００４３】
以下、図２及び図３の製造手順に基づき、本発明を更に詳細に説明する。
【００４４】
図２に示すように、ホルダーブロック３に測温抵抗素子２を収納する。具体的には、測温抵抗素子２のリード線２１、２２の先端側からホルダーブロックの収納部３０を構成する凹条溝４内に挿入し、該収納部３０内部に連通しているリード線挿通孔３５、３６にリード線２１、２２を通しながら素子本体２０を収納部３０に挿着する。素子本体２０を収納部３０に挿着完了した状態で、リード線２１、２２はホルダーブロック３の先端面３ａ上に所定長さ突出した状態となる。この際、予め凹条溝４内面には、素子本体２０を接着する耐熱性接着剤が塗布される。
【００４５】
素子本体２０を収納部３０に挿着した状態で、素子本体２０と凹条溝４の底部、リード線２１、２２とリード線挿通孔３５、３６との間には、それぞれ若干隙間が生じるが、その隙間には耐熱性接着剤（セラミック接着剤）８０或いは耐熱性絶縁材を入れてリード線２１、２２が動かないように固定することが好ましい。更に、凹条溝４内における素子本体２０の左右にできる隙間は、シースケーブルへの挿着前に予め絶縁材を埋める。
【００４６】
一方、シースケーブル端部１０ａに測温抵抗素子を挿着したホルダーブロックを挿着するための準備を行う。具体的には、図３（ａ）、（ｂ）に示すように、シースケーブル端部１０ａから所定領域の絶縁材５０を取り除くことで該領域内にシースケーブル素線１１〜１４が突出したホルダーブロック収納部６を形成する。この際、素線１１〜１４が金属管から突出してホルダーブロックの素線用貫通孔３１〜３４に挿入しやすいように、金属管も切断する。
【００４７】
次に、図３（ｃ）に示すように、測温抵抗素子２を挿着したホルダーブロック３を貫通孔３１〜３４にシースケーブル素線１１〜１４を挿入しながら収納部６に圧入する。この圧入により凹条溝４の前後一対の内壁が内側に変形して素子本体２０が確りと挟持され、素子本体２０はホルダーブロック３と一体化した安定姿勢に保持される。そして、ケーブル素線１１〜１４と貫通孔３１〜３４との間の隙間には、耐熱性絶縁材が充填される。この絶縁材についても、窒化ホウ素、又は窒化ホウ素と絶縁性金属酸化物（酸化マグネシウムなど）との混合物が好ましい。
【００４８】
次に、図３（ｄ）に示すように、ホルダーブロック３の先端側に突出しているリード線２１、２２及びケーブル素線１１〜１４の突出長さをそれぞれ所定長さに調整（切断）した後、ブロック先端面３ａに沿うように該先端面３ａに突出した根元位置で屈曲させて溶接やろう接により結線する。
【００４９】
次に、図３（ｅ）に示すようにシースケーブル端部の残部空間に絶縁材５１を埋め戻したうえ、図３（ｆ）に示すようにケーブル端部の金属管端部を溶接により封止して（封止部７）完成する。埋戻しの絶縁材５１についても窒化ホウ素、又は窒化ホウ素と絶縁性金属酸化物（酸化マグネシウムなど）との混合物が好ましい。
【００５０】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００５１】
１  シース型測温抵抗体
２  測温抵抗素子
３  ホルダーブロック
３ａ  先端面
３ｂ  基端面
３ｃ  基端面
４  凹条溝
６  収納部
７  封止部
１０  シースケーブル
１０ａ  端部
１１、１１Ａ，１１Ｂ  素線
１２，１２Ａ  素線
１３、１３Ｂ  素線
１４，１４Ａ，１４Ｂ  素線
２０  素子本体
２１、２１Ａ、２１Ｂ  リード線
２２、２２Ａ、２２Ｂ  リード線
３０  収納部
３１、３１Ａ、３１Ｂ  貫通孔
３２、３２Ａ  貫通孔
３３、３３Ｂ  貫通孔
３４、３４Ａ、３４Ｂ  貫通孔
３５，３５Ａ、３５Ｂ  挿通孔
３６、３６Ａ、３６Ｂ  挿通孔
３７  外周面
５０  絶縁材
５１  絶縁材
８０  接着剤
【図１】
2015155829.tif 000003
【図２】
2015155829.tif 000004
【図３】
2015155829.tif 000005
【図４】
2015155829.tif 000006